(57)【要約】【課題】タッチパネルの回転角度にかかわらず誤入力が発生することを防止できるタッチパネル装置を提供する。【解決手段】タッチパネル装置１は、タッチパネル１０、角度検出センサ２０およびＣＰＵ３０を備える。タッチパネル１０は、タッチ入力時に所定の機能を動作させる機能キー１１０〜１８０を表示し、機能キー１１０〜１８０へのタッチ入力を検出する検出領域２１０〜２８０を有し、回転可能である。角度検出センサ２０は、タッチパネル１０の回転角度を検出する。ＣＰＵ３０は、角度検出センサの検出結果に基づいて、機能キー１１０〜１８０に対して検出領域２１０〜２８０をずらす。【選択図】図５
2013003994.tif 000002
【特許請求の範囲】
【請求項１】
タッチ入力時に所定の機能を動作させる機能キーを表示し、前記機能キーへのタッチ入力を検出する検出領域を有し、回転可能なタッチパネル部と、
前記タッチパネル部の回転角度を検出する角度検出部と、
前記角度検出部の検出結果に基づいて、前記機能キーに対して前記検出領域をずらす制御部と、
を備えるタッチパネル装置。
【請求項２】
前記制御部は、前記タッチパネル部が水平方向に向けて回転したことを前記角度検出部が検出すると、前記タッチパネル部と水平方向とがなす角度のうち鋭角側に前記検出領域をずらす
請求項１に記載のタッチパネル装置。
【請求項３】
前記制御部は、前記タッチパネル部が鉛直方向に向けて回転したことを前記角度検出部が検出すると、前記タッチパネル部と鉛直方向とがなす角度のうち鋭角側に前記検出領域をずらす
請求項１に記載のタッチパネル装置。
【請求項４】
タッチ入力時に所定の機能を動作させる機能キーを表示し、前記機能キーへのタッチ入力を検出する検出領域を有し、前記機能キーの表示領域が面で構成されるタッチパネル部と、
前記タッチパネル部に対するユーザの目の位置を検出するカメラ部と、
前記カメラ部の検出結果に基づいて、前記機能キーに対して前記検出領域をずらす制御部と、
を備えるタッチパネル装置。
【請求項５】
前記制御部は、前記タッチパネル部に対する平行方向の距離についてユーザの目の位置が変化したことを前記カメラ部が検出すると、ユーザの目の位置が変化した方向に前記検出領域をずらす
請求項４に記載のタッチパネル装置。
【請求項６】
前記制御部は、前記タッチパネル部に対する垂直方向の距離についてユーザの目の位置が該タッチパネル部に近づいたことを前記カメラ部が検出すると、ユーザの目の位置に向けて前記検出領域をずらす
請求項４または５に記載のタッチパネル装置。
【請求項７】
前記制御部は、前記タッチパネル部に対する垂直方向の距離についてユーザの目の位置が該タッチパネル部から離れたことを前記カメラ部が検出すると、ユーザの目の位置と反対方向に向けて前記検出領域をずらす
請求項４または５に記載のタッチパネル装置。
【請求項８】
請求項１〜７のいずれか１項に記載のタッチパネル装置と、
前記タッチパネル装置へのタッチ入力に基づいて画像形成を実行する画像形成部と、
を備える画像形成装置。
【発明の詳細な説明】
【技術分野】
【０００１】
本発明は、タッチパネル部において操作を受け付けるタッチパネル装置およびこのタッチパネル装置を備える画像形成装置に関する。
【背景技術】
【０００２】
従来、タッチパネル装置においては、所定の機能を発揮させる機能キーのパターンが複雑化するにつれ、各機能キーのタッチパネル上の入力可能領域が狭くなり、隣接する別の機能キーや、無反応領域に対する誤入力が発生しやすくなっていた。
【０００３】
そこで、ユーザのタッチ入力に基づいて機能キーに対する補正値を算出し、機能キーの検出領域を補正する技術が開示されている（例えば、特許文献１参照。）。
【先行技術文献】
【特許文献】
【０００４】
【特許文献１】特開平０９−２３７１６０号公報
【発明の概要】
【発明が解決しようとする課題】
【０００５】
しかしながら、タッチパネル装置におけるタッチパネルは、常に同じ角度で使用されるとは限らず、当該タッチパネルの回転角度に依存して誤入力が発生する問題があった。特許文献１に開示されている技術は、この問題を解決するものではない。
【０００６】
そこで、本発明の目的は、上記課題に鑑み、タッチパネルの回転角度にかかわらず誤入力が発生することを防止できるタッチパネル装置を提供する。
【課題を解決するための手段】
【０００７】
本発明のタッチパネル装置は、タッチパネル部、角度検出部および制御部を備える。
【０００８】
タッチパネル部は、タッチ入力時に所定の機能を動作させる機能キーを表示し、機能キーへのタッチ入力を検出する検出領域を有し、回転可能である。角度検出部は、タッチパネル部の回転角度を検出する。制御部は、角度検出部の検出結果に基づいて、機能キーに対して検出領域をずらす。
【０００９】
この構成では、タッチパネル部の回転角度に基づいて、機能キーに対して検出領域をずらす制御を行う。したがって、回転可能なタッチパネル部に、機能キーが密集して表示されている場合においても、タッチパネル部の回転角度にかかわらず誤入力が発生することを防止できる。
【発明の効果】
【００１０】
本発明におけるタッチパネル装置は、タッチパネルの回転角度にかかわらず誤入力が発生することを防止できる。
【図面の簡単な説明】
【００１１】
【図１】本発明の第１実施形態に係るタッチパネル装置を備える画像形成装置の一部の斜視図である。
【図２】（Ａ）は、タッチパネル装置が水平配置された状態における画像形成装置の側面図であり、（Ｂ）は、その正面図である。
【図３】（Ａ）は、タッチパネル装置が前面側に傾斜配置された状態における画像形成装置の側面図であり、（Ｂ）は、その正面図である。
【図４】タッチパネル装置の部分拡大図である。
【図５】本発明の第１実施形態に係るタッチパネル装置の構成を示すブロック図である。
【図６】本発明の第１実施形態に係るタッチパネル装置の制御内容を示すフローチャートである。
【図７】タッチパネル装置における機能キーの位置に対して検出領域を下側にずらした状態を示す図である。
【図８】タッチパネル装置における機能キーの位置に対して検出領域を上側にずらした状態を示す図である。
【図９】本発明の第２実施形態に係るタッチパネル装置の構成を示すブロック図である。
【図１０】本発明の第２実施形態に係るタッチパネル装置の第１制御内容を示すフローチャートである。
【図１１】タッチパネル部に対するユーザの目の位置を示す図である。
【図１２】本発明の第２実施形態に係るタッチパネル装置の第２制御内容を示すフローチャートである。
【図１３】タッチパネル装置を備えるスマートフォンにおける機能キーの位置に対して検出領域を上側にずらした状態を示す図である。
【図１４】タッチパネル装置を備えるスマートフォンにおける機能キーの位置に対して検出領域を下側にずらした状態を示す図である。
【発明を実施するための形態】
【００１２】
以下、本発明の実施形態に係るタッチパネル装置を、図面を参照しつつ詳細に説明する。
【００１３】
最初に、本発明の第１実施形態について説明する。
【００１４】
図１、図２（Ａ）および図２（Ｂ）に示すように、画像形成装置１００は、タッチパネル装置１および主装置２を備えている。
【００１５】
主装置２は、画像読取部３、画像形成部４および給紙部５を備え、いわゆる胴内排紙形状を呈している。
【００１６】
画像読取部３は、主装置２の上部に配置されている。画像読取部３は、原稿台３１上に載置された原稿に光を照射し、反射した光に基づいて原稿の画像を読み取って画像データを生成する画像読取処理を行う。なお、図１、図２（Ａ）および図２（Ｂ）では、原稿台３１の上面を閉鎖および開放自在な蓋部材の記載が省略されている。図３（Ａ）および図３（Ｂ）においても同様に蓋部材の記載が省略されている。
【００１７】
給紙部５は、主装置２の下部に配置され、複数の給紙カセット５１，５２，５３，５４を有している。給紙カセット５１〜５４のそれぞれには、記録媒体の一例である用紙が収容されている。給紙部５は、用紙を１枚ずつ画像形成部４へ供給する。
【００１８】
画像形成部４は、画像読取部３の下に配置され、用紙に画像形成処理を行う。画像形成部４は、画像形成処理済みの用紙を収容する用紙排紙トレイ４１を設けるための空間４２を画像読取部３の下に残すように、主装置２の幅方向９１における第１端部に設けられた用紙排紙部４３を有する。画像形成部４は、画像形成処理済みの用紙を、用紙排紙部４３から用紙排紙トレイ４１へ排出する。画像形成部４の幅方向は、主装置２の幅方向９１と同じである。
【００１９】
画像形成部４は、一例として、電子写真方式の画像形成処理を行う。画像形成部４は、画像データに基づいて形成したトナー像を用紙に担持させ、図示しない定着装置においてトナー像を用紙に熱および圧力によって固着させる。定着装置は、用紙排紙部４３の近傍かつ下方に配置されている。
【００２０】
タッチパネル装置１は、タッチパネル１０を有する。タッチパネル１０は、本発明のタッチパネル部に相当する。タッチパネル装置１は、主装置２の前面に配置されている。一例として、タッチパネル装置１は、画像読取装置３の前面に取り付けられている。また、一例として、タッチパネル装置１は、幅方向９１において用紙排紙部４３が配置された第１端部の反対側の端部に取り付けられている。幅方向９１において、タッチパネル装置１と用紙排紙部４３とは、離間していることが好ましい。
【００２１】
タッチパネル装置１は、図２（Ａ）および図２（Ｂ）に示す水平位置と、前面側への所定の最大傾斜位置と、の間で回動自在に構成されている。また、タッチパネル装置１は、水平位置、最大傾斜位置、ならびに水平位置と最大傾斜位置との間の１または複数の所定位置から選択された図３（Ａ）および図３（Ｂ）に一例を示す所望の傾斜位置で、傾斜姿勢を保持するように構成されている。
【００２２】
図４に示すように、タッチパネル装置１は画像読取部３の前面に取り付けられ、一例として、画像読取部３の前面のうちタッチパネル装置１の配置箇所を除く部分には、画像読取部３の操作台３２が設けられている。操作台３２は、画像読取部３の上面に連続する面を形成し、主装置２の幅方向９１に直交する前後方向９２においてタッチパネル装置１の一部と重複している。
【００２３】
図５は、本発明の第１実施形態に係るタッチパネル装置１の構成を示すブロック図である。
【００２４】
タッチパネル装置１は、タッチパネル１０、角度検出センサ２０、ＣＰＵ３０、ＲＯＭ４０およびＲＡＭ５０を備える。角度検出センサ２０は、本発明の角度検出部に相当する。ＣＰＵ３０は、本発明の制御部に相当する。
【００２５】
タッチパネル１０は、タッチ入力時に所定の機能を動作させる機能キー１１０，１２０，１３０，１４０，１５０，１６０，１７０および１８０を表示し、機能キー１１０〜１８０へのタッチ入力を検出する検出領域２１０，２２０，２３０，２４０，２５０，２６０，２７０および２８０を有し、回転可能である。角度検出センサ２０は、タッチパネル１０の回転角度を検出する。ＣＰＵ３０は、角度検出センサ２０の検出結果に基づいて、機能キー１１０〜１８０に対して検出領域２１０〜２８０をずらす。
【００２６】
また、ＣＰＵ３０は、ＲＯＭ４０に記録されている制御プログラムを読みだして実行する。ＲＡＭ５０は、ＣＰＵ３０のワーキングエリアとして活用される。
【００２７】
図６は、本発明の第１実施形態に係るタッチパネル装置１の制御内容を示すフローチャートである。
【００２８】
ＣＰＵ３０は、タッチパネル１０が水平方向に向けて回転したか否かを角度検出センサ２０の検出結果に基づいて判断する（Ｓ１０）。ＣＰＵ３０は、タッチパネル１０が水平方向に向けて回転したと判断すると（Ｓ１０のＹ）、図７に示すように、機能キー１１０〜１８０に対して検出領域２１０〜２８０を下側にずらし（Ｓ２０）、Ｓ１０の制御に戻る。
【００２９】
すなわち、ＣＰＵ３０は、タッチパネル１０が水平方向に向けて回転したことを角度検出センサ２０が検出すると、タッチパネル１０と水平方向とがなす角度のうち鋭角側に検出領域２１０〜２８０をずらす制御をしている。
【００３０】
ＣＰＵ３０は、タッチパネル１０が水平方向に向けて回転していないと判断すると（Ｓ１０のＮ）、タッチパネル１０が鉛直方向に向けて回転したか否かを角度検出センサ２０の検出結果に基づいて判断する（Ｓ３０）。ＣＰＵ３０は、タッチパネル１０が鉛直方向に向けて回転したと判断すると（Ｓ３０のＹ）、図８に示すように、機能キー１１０〜１８０に対して検出領域２１０〜２８０を上側にずらし（Ｓ４０）、Ｓ１０の制御に戻る。
【００３１】
ＣＰＵ３０は、タッチパネル１０が鉛直方向に向けて回転していないと判断すると（Ｓ３０のＮ）、Ｓ１０の制御に戻る。
【００３２】
すなわち、ＣＰＵ３０は、タッチパネル１０が鉛直方向に向けて回転したことを角度検出センサ２０が検出すると、タッチパネル１０と鉛直方向とがなす角度のうち鋭角側に検出領域２１０〜２８０をずらす制御をしている。
【００３３】
この構成では、タッチパネル１０の回転角度に基づいて、機能キー１１０〜１８０に対して検出領域２１０〜２８０をずらす制御を行う。したがって、回転可能なタッチパネル１０に、機能キー１１０〜１８０が密集して表示されている場合においても、タッチパネル１０の回転角度にかかわらず誤入力が発生することを防止できる。
【００３４】
次に、本発明の第２実施形態について説明する。なお、本発明の第１実施形態と重複する部分の説明は省略する。
【００３５】
図９は、本発明の第２実施形態に係るタッチパネル装置８の構成を示すブロック図である。
【００３６】
タッチパネル装置８は、タッチパネル１０、カメラ６０、ＣＰＵ３０，ＲＯＭ４０およびＲＡＭ５０を備える。カメラ６０は、本発明のカメラ部に相当する。
【００３７】
タッチパネル１０は、タッチ入力時に所定の機能を動作させる機能キー１１０〜１８０を表示し、機能キー１１０〜１８０へのタッチ入力を検出する検出領域２１０〜２８０を有し、機能キー１１０〜１８０の表示領域が面で構成される。カメラ６０は、タッチパネル１０に対するユーザの目の位置を検出する。ＣＰＵ３０は、カメラ６０の検出結果に基づいて、機能キー１１０〜１８０に対して検出領域２１０〜２８０をずらす。ＲＯＭ４０およびＲＡＭ５０は、本発明の第１実施形態において説明したとおりである。
【００３８】
図１０は、本発明の第２実施形態に係るタッチパネル装置８の第１制御内容を示すフローチャートである。
【００３９】
ＣＰＵ３０は、タッチパネル１０に対する平行方向の距離についてユーザの目の位置がタッチパネル１０から離れたか否かをカメラ６０の検出結果に基づいて判断する（Ｓ１１０）。
【００４０】
図１１は、タッチパネル１０に対するユーザの目の位置６１，６２，６３および６４を示す。カメラ６０は、ユーザの目を認識する機能を有しており、ＣＰＵ３０が、カメラ６０の検出結果に基づいて、タッチパネル１０とユーザの目の位置６１〜６４との角度を計算する。
【００４１】
ＣＰＵ３０は、タッチパネル１０に対する平行方向の距離についてユーザの目の位置がタッチパネル１０から離れた（例えば、位置６１から位置６２へ移動）と判断すると（Ｓ１１０のＹ）、図７に示すように、機能キー１１０〜１８０に対して検出領域２１０〜２８０を下側にずらし（Ｓ１２０）、Ｓ１１０の制御に戻る。
【００４２】
ＣＰＵ３０は、タッチパネル１０に対する平行方向の距離についてユーザの目の位置がタッチパネル１０から離れていないと判断すると（Ｓ１１０のＮ）、タッチパネル１０に対する平行方向の距離についてユーザの目の位置がタッチパネル１０に近づいたか否かをカメラ６０の検出結果に基づいて判断する（Ｓ１３０）。
【００４３】
ＣＰＵ３０は、タッチパネル１０に対する平行方向の距離についてユーザの目の位置がタッチパネル１０に近づいた（例えば、位置６４から位置６３へ移動）と判断すると（Ｓ１３０のＹ）、図８に示すように、機能キー１１０〜１８０に対して検出領域２１０〜２８０を上側にずらし（Ｓ１４０）、Ｓ１１０の制御に戻る。
【００４４】
ＣＰＵ３０は、タッチパネル１０に対する平行方向の距離についてユーザの目の位置がタッチパネル１０に近づいていないと判断すると（Ｓ１３０のＮ）、Ｓ１１０の制御に戻る。
【００４５】
すなわち、ＣＰＵ３０は、タッチパネル１０に対する平行方向の距離についてユーザの目の位置が変化したことをカメラ６０が検出すると、ユーザの目の位置が変化した方向に検出領域２１０〜２８０をずらす制御をしている。
【００４６】
図１２は、本発明の第２実施形態に係るタッチパネル装置８の第２制御内容を示すフローチャートである。
【００４７】
ＣＰＵ３０は、タッチパネル１０に対する垂直方向の距離についてユーザの目の位置がタッチパネル１０に近づいたか否かをカメラ６０の検出結果に基づいて判断する（Ｓ２１０）。
【００４８】
ＣＰＵ３０は、タッチパネル１０に対する垂直方向の距離についてユーザの目の位置がタッチパネル１０に近づいた（例えば、位置６１から位置６３へ移動）と判断すると（Ｓ２１０のＹ）、図７に示すように、機能キー１１０〜１８０に対して検出領域２１０〜２８０を下側にずらし（Ｓ２２０）、Ｓ２１０の制御に戻る。
【００４９】
すなわち、ＣＰＵ３０は、タッチパネル１０に対する垂直方向の距離についてユーザの目の位置がタッチパネル１０に近づいたことをカメラ６０が検出すると、ユーザの目の位置に向けて検出領域２１０〜２８０をずらす制御をしている。
【００５０】
ＣＰＵ３０は、タッチパネル１０に対する垂直方向の距離についてユーザの目の位置がタッチパネル１０に近づいていないと判断すると（Ｓ２１０のＮ）、タッチパネル１０に対する垂直方向の距離についてユーザの目の位置がタッチパネル１０から離れたか否かをカメラ６０の検出結果に基づいて判断する（Ｓ２３０）。
【００５１】
ＣＰＵ３０は、タッチパネル１０に対する垂直方向の距離についてユーザの目の位置がタッチパネル１０から離れた（例えば、位置６４から位置６２へ移動）と判断すると（Ｓ２３０のＹ）、図８に示すように、機能キー１１０〜１８０に対して検出領域２１０〜２８０を上側にずらし（Ｓ２４０）、Ｓ２１０の制御に戻る。
【００５２】
ＣＰＵ３０は、タッチパネル１０に対する垂直方向の距離についてユーザの目の位置がタッチパネル１０から離れていないと判断すると（Ｓ２３０のＮ）、Ｓ２１０の制御に戻る。
【００５３】
すなわち、ＣＰＵ３０は、タッチパネル１０に対する垂直方向の距離についてユーザの目の位置がタッチパネル１０から離れたことをカメラ６０が検出すると、ユーザの目の位置と反対方向に向けて検出領域２１０〜２８０をずらす制御をしている。
【００５４】
この構成では、タッチパネル１０に対するユーザの目の位置に基づいて、機能キー１１０〜１８０に対して検出領域２１０〜２８０をずらす制御を行う。したがって、タッチパネル１０に、機能キー１１０〜１８０が密集して表示されている場合においても、タッチパネル１０に対するユーザの目の位置にかかわらず誤入力が発生することを防止できる。
【００５５】
なお、第２実施形態に係る第１制御と第２制御とを組み合わせてもよい。この場合、機能キー１１０〜１８０に対して検出領域２１０〜２８０をどちらにずらすかは、タッチパネル１０とユーザの目の位置との角度による。すなわち、図１１の例によると、位置６１、位置６２、位置６３、位置６４の順でタッチパネル１０に対する角度が小さくなっているので、位置６１の場合に上側に最もずらし、位置６４の場合に下側に最もずらす制御を行えばよい。
【００５６】
また、図１３および１４に示すように、タッチパネル装置９を備えるスマートフォン３００について、本発明の第１実施形態または第２実施形態を適用してもよい。この場合、ＣＰＵ３０は、角度検出センサ２０またはカメラ６０の検出結果に基づいて、機能キー３１０，３２０，３３０，３４０，３５０，３６０，３７０および３８０に対して検出領域４１０，４２０，４３０，４４０，４５０，４６０，４７０および４８０をずらす制御を行う。
【００５７】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００５８】
１−タッチパネル装置
８−タッチパネル装置
９−タッチパネル装置
１０−タッチパネル
２０−角度検出センサ
３０−ＣＰＵ
６０−カメラ
１００−画像形成装置
１１０−機能キー
１２０−機能キー
１３０−機能キー
１４０−機能キー
１５０−機能キー
１６０−機能キー
１７０−機能キー
１８０−機能キー
２１０−検出領域
２２０−検出領域
２３０−検出領域
２４０−検出領域
２５０−検出領域
２６０−検出領域
２７０−検出領域
２８０−検出領域
【図１】
2013003994.tif 000003
【図２】
2013003994.tif 000004
【図３】
2013003994.tif 000005
【図４】
2013003994.tif 000006
【図５】
2013003994.tif 000007
【図６】
2013003994.tif 000008
【図７】
2013003994.tif 000009
【図８】
2013003994.tif 000010
【図９】
2013003994.tif 000011
【図１０】
2013003994.tif 000012
【図１１】
2013003994.tif 000013
【図１２】
2013003994.tif 000014
【図１３】
2013003994.tif 000015
【図１４】
2013003994.tif 000016